(57)【特許請求の範囲】
【請求項１】
複数の野縁及びこの野縁と直交して結合される複数の野縁受けからなる天井下地材と、前記野縁の下面に取り付けられる天井パネルと、前記野縁受けを吊支する複数の吊りボルトとを備える天井において、
前記野縁及び野縁受けのうち全部又は一部の端部に、当該端部と共にスライド自在に挿入させた入れ子式の継ぎ手部材を介して、この入れ子式の継手を挿入させた前記野縁及び前記野縁受けの全部又は一部として用いられる材料と同じ材料である押し当て材が取り付けられ、
前記継ぎ手部材を介して前記野縁及び野縁受けから突出するように固定された前記押し当て材の端部が天井周囲の壁側受け面と当接してなる
ことを特徴とする耐震天井。
【発明の詳細な説明】
【技術分野】
【０００１】
本発明は、天井パネルが取り付けられる野縁と野縁受けからなる天井下地材を吊りボルトによって吊支した天井であって、特に、耐震性を高めた天井に関する。
【背景技術】
【０００２】
例えば鉄筋コンクリート造の建物の天井には、吊り天井が多く用いられている。図７に示すように、この種の天井１００は、所定間隔で水平かつ互いに平行に並設される複数の野縁１１１と、この野縁１１１と直交する方向へ延び、水平かつ互いに平行に並設されると共に前記複数の野縁１１１の上にクリップ１１２を介して結合される複数の野縁受け１１３によって天井下地材１１０を構築し、この天井下地材１１０を、下端が前記野縁受け１１３にハンガー１０１を介して結合されると共に上端が上階の床スラブ等に固定される複数の吊りボルト１０２によって吊支し、下階の天井面を形成する天井パネル１０３を前記野縁１１１の下面にビス等によって一体に取り付けた構造となっている。
【０００３】
この種の天井１００は、地震発生時に大きく横揺れして壁２００と衝突した場合、その衝撃によって天井パネル１０３が野縁１１１から脱落して落下したり、あるいは野縁１１１が野縁受け１１３から脱落して天井パネル１０３と共に脱落したりするおそれがある。そこで、従来、天井１００の耐震性を高めるための一般的な手法として、吊りボルト１０２に斜材であるブレース（不図示）を設置することによって天井１００を揺れにくくすると共に、天井１００と壁２００との間に十分なクリアランスＣを設けて、地震発生時に天井１００と壁２００が衝突しないようにすることが行われている（例えば下記の特許文献１参照）。
【０００４】
また、天井１００と壁２００との間にはクリアランスＣを設けず、地震等によって天井１００に生じる水平力を、ブレースにではなく壁２００に負担させる方法も考えられる。
【先行技術文献】
【特許文献】
【０００５】
【特許文献１】特開２００９−１６７７３７号公報
【発明の概要】
【発明が解決しようとする課題】
【０００６】
しかしながら、ブレースによって天井１００を揺れにくくする場合、天井裏空間への設備機器の配置などによって、計算上必要なブレースを配置することができないことがあり、また、クリーンルームなど、部屋の使用条件などによってはクリアランスＣを十分にとることができない場合がある。
【０００７】
そこで、天井１００と壁２００との間にはクリアランスＣを設けず、すなわち天井１００と壁２００を接触させるようにすれば、衝突による衝撃力は生じない。しかし実際には、施工上不可避的な隙間は生じてしまい、天井１００と壁２００を隙間なく接触させることは困難である。
【０００８】
本発明は、以上のような点に鑑みてなされたものであって、その技術的課題は、地震等によって天井に生じる水平力を壁で受けることにより衝撃を発生させない方法を有効に実現させることの可能な耐震天井を提供することにある。
【課題を解決するための手段】
【００１８】
本発明は、複数の野縁及びこの野縁と直交して結合される複数の野縁受けからなる天井下地材と、前記野縁の下面に取り付けられる天井パネルと、前記野縁受けを吊支する複数の吊りボルトとを備える天井において、前記野縁及び野縁受けのうち全部又は一部の端部に、当該端部と共にスライド自在に挿入させた入れ子式の継ぎ手部材を介して、この入れ子式の継手を挿入させた前記野縁及び前記野縁受けの全部又は一部として用いられる材料と同じ材料である押し当て材が取り付けられ、前記継ぎ手部材を介して前記野縁及び野縁受けから突出するように固定された前記押し当て材の端部が天井周囲の壁側受け面と当接してなる。
【発明の効果】
【００１９】
本発明に係る耐震天井によれば、地震等によって天井に生じる水平力を壁で受けることによって押し当て材を介して壁側に伝達され、天井が壁側と一体的に変位するので、天井と壁の衝突による衝撃の発生を規制して、天井パネルや野縁等の落下事故を有効に防止することができる。
【図面の簡単な説明】
【００２０】
【図１】耐震天井の第一の実施の形態を示すもので、（Ａ）は野縁の端部付近の構成を示す要部斜視図、（Ｂ）は野縁受けの端部付近の構成を示す要部斜視図である。
【図２】耐震天井の第二の実施の形態を示すもので、（Ａ）は野縁の端部付近の構成を示す要部斜視図、（Ｂ）は野縁受けの端部付近の構成を示す要部斜視図である。
【図３】耐震天井の第三の実施の形態を示すもので、（Ａ）は野縁の端部付近の構成を示す要部斜視図、（Ｂ）は野縁受けの端部付近の構成を示す要部斜視図である。
【図４】耐震天井の第四の実施の形態を示すもので、（Ａ）は野縁の端部付近の構成を示す要部平面図、（Ｂ）は野縁受けの端部付近の構成を示す要部平面図である。
【図５】耐震天井の第五の実施の形態を示すもので、（Ａ）は野縁の端部付近の構成を示す要部斜視図、（Ｂ）は野縁受けの端部付近の構成を示す要部斜視図である。
【図６】耐震天井の第六の実施の形態を示すもので、（Ａ）は野縁の端部付近の構成を示す要部斜視図、（Ｂ）は野縁受けの端部付近の構成を示す要部斜視図である。
【図７】従来技術に係る耐震天井の一を示すもので、（Ａ）は野縁の端部付近の構成を示す部分斜視図、（Ｂ）は野縁受けの端部付近の構成を示す部分斜視図である。
【発明を実施するための形態】
【００２１】
以下、耐震天井の好ましい実施の形態について、図面を参照しながら説明する。まず図１は第一の実施の形態を示すものであって、図中（Ａ）は野縁の端部付近、（Ｂ）は野縁受けの端部付近の構成を示すものである。
【００２２】
第一の実施の形態の耐震天井は、不図示の躯体スラブに垂設した多数（図１では１本のみ示す）の吊りボルト１１の下端に吊金具であるハンガー１２を介して複数の野縁受け１３を水平かつ互いに平行に吊支し、この野縁受け１３の下に、結合金具であるクリップ１４を介して複数の野縁１５を直交するように、水平かつ互いに平行に取り付けることによって、格子状の天井下地材１を構築し、野縁１５の下面に耐火ボードからなる多数の天井パネル２を互いに縦横に並べて敷き詰めた状態に取り付けた構造を有する。
【００２３】
詳しくは、野縁１５は樋状（リップ形）に成形された金属板からなるものであって、Ｘ方向に延びるように配置され、その先端は、天井周囲の躯体壁２００のうちＹＺ方向壁面２００ａと離間対向しており、天井パネル２の外周縁と前記壁面２００ａの間にもわずかにクリアランスＣが存在している。
【００２４】
複数の野縁１５のうちの全部又は一部のＸ方向の端部１５ａには、樋状（溝形）に成形された金属板からなる押し当て材３が、入れ子式に挿入されると共にビス３１によって固定されており、前記野縁１５の端部から突出した押し当て材３の端部３ａが、躯体壁２００のＹＺ方向壁面２００ａと当接されている。この押し当て材３は、予め野縁１５の端部１５ａに挿入しておき、天井下地材１の施工の際に、端部３ａを躯体壁２００のＹＺ方向壁面２００ａに突き当てるようにスライドさせて、ビス３１により野縁１５に固定したものである。
【００２５】
野縁受け１３は断面コ字形（溝形）に成形された金属板からなるものであって、Ｙ方向に延びるように配置され、その先端は、天井周囲の躯体壁２００のうちＸＺ方向壁面２００ｂと離間対向しており、天井パネル２の外周縁と前記壁面２００ｂの間にもわずかにクリアランスＣが存在している。
【００２６】
複数の野縁受け１３のうちの全部又は一部には、そのＹ方向の端部近傍に、断面コ字形（溝形）に成形された金属板からなる押し当て材４が、複数の野縁１５の上に跨るように野縁受け１３のウエブ１３ａと背中合わせに配置されると共に、野縁受け１３と野縁１５を結合しているクリップ１４にビス４１によって固定されており、前記野縁受け１３の端部から突出した押し当て材４の端部４ａが、躯体壁２００のＸＺ方向壁面２００ｂと当接されている。この押し当て材４は、予め２連のクリップ１４を利用して野縁受け１３のウエブ１３ａと背中合わせに仮拘束しておき、天井下地材１の施工の際に、端部４ａを躯体壁２００のＸＺ方向壁面２００ｂに突き当てるようにスライドさせて、ビス４１によりクリップ１４及び野縁受け１３に固定したものである。
【００２７】
なお、躯体壁２００のＹＺ方向壁面２００ａ及びＸＺ方向壁面２００ｂは、請求項１に記載された「天井周囲の壁側受け面」に相当するものである。
【００２８】
上記構成を備える第一の実施の形態によれば、Ｘ方向の押し当て材３は、実質的に野縁１５の一部を構成して、その端部を躯体壁２００のＹＺ方向壁面２００ａと当接する位置まで延長させるものであり、Ｙ方向の押し当て材４は、実質的に野縁受け１３の一部を構成して、その端部を躯体壁２００のＸＺ方向壁面２００ｂと当接する位置まで延長させるものである。
【００２９】
このため、地震発生時にＸ方向の水平力が天井に生じた場合、この水平力は、野縁１５から押し当て材３を介して躯体壁２００のＹＺ方向壁面２００ａに伝達され、Ｙ方向の水平力は、野縁受け１３から押し当て材４を介して躯体壁２００のＸＺ方向壁面２００ｂに伝達され、天井が躯体壁２００と一体的に変位するので、天井と躯体壁２００の衝突が規制される。このため、衝撃によって天井パネル２が野縁１５から脱落して落下したり、あるいは野縁１５が野縁受け１３から脱落して天井パネル２と共に脱落したりするのを防止することができる。
【００３０】
次に図２は、耐震天井の第二の実施の形態を示すものであって、図中（Ａ）は野縁の端部付近、（Ｂ）は野縁受けの端部付近の構成を示すものである。
【００３１】
この第二の実施の形態において、先に説明した第一の実施の形態と異なるところは、躯体壁２００のＹＺ方向壁面２００ａに軽量鉄骨等からなりＹ方向へ延びる受け材２０１が取り付けられ、ＸＺ方向壁面２００ｂに軽量鉄骨等からなりＸ方向へ延びる受け材２０２が取り付けられ、野縁１５の端部から突出した押し当て材３の端部３ａが、受け材２０１の側面２０１ａと当接され、野縁受け１３の端部から突出した押し当て材４の端部４ａが、受け材２０２の側面２０２ａと当接された点にある。
【００３２】
なお、この場合、受け材２０１の側面２０１ａ及び受け材２０２の側面２０２ａが、請求項１に記載された「天井周囲の壁側受け面」に相当するものである。
【００３３】
そして第二の実施の形態も第一の実施の形態と同様の効果を奏するものであって、すなわち、地震発生時にＸ方向の水平力が天井に生じた場合、この水平力は、野縁１５から押し当て材３及び受け材２０１を介して躯体壁２００に伝達され、Ｙ方向の水平力は、野縁受け１３から押し当て材４及び受け材２０２を介して躯体壁２００のＸＺ方向壁面２００ｂに伝達され、天井が躯体壁２００と一体的に変位するので、天井と躯体壁２００の衝突が規制される。また、受け材２０１，２０２は押し当て材３，４からの水平力を分散して躯体壁２００に伝達し、躯体壁２００に局部的に応力が集中するのを防止する作用を有する。このため、衝撃によって天井パネル２が野縁１５から脱落して落下したり、あるいは野縁１５が野縁受け１３から脱落して天井パネル２と共に脱落したりするのを防止することができる。
【００３４】
次に図３は、耐震天井の第三の実施の形態を示すものであって、図中（Ａ）は野縁の端部付近、（Ｂ）は野縁受けの端部付近の構成を示すものである。
【００３５】
この第三の実施の形態は、上述した第二の実施の形態の構成において、野縁１５の端部から突出した押し当て材３の端部にゴム状弾性材料（ゴム材料又はゴム状弾性を有する合成樹脂材料）からなる緩衝体３２が取り付けられ、前記押し当て材３の端部が、前記緩衝体３２を介して受け材２０１の側面２０１ａと当接されると共に、野縁受け１３の端部から突出した押し当て材４の端部にゴム状弾性材料からなる緩衝体４２が取り付けられ、前記押し当て材４の端部が、前記緩衝体４２を介して受け材２０２の側面２０２ａと当接されたものである。
【００３６】
そして第三の実施の形態によれば、第一又は第二の実施の形態と同様の効果に加え、地震発生時に天井に生じるＸ方向又はＹ方向の水平力が、押し当て材３又は４から受け材２０１又は２０２の側面２０１ａ又は２０２ａへ伝達される過程で、緩衝体３２又は４２の変形によって吸収されるので、天井に作用する水平力が有効に緩和される。このため、衝撃によって天井パネル２が野縁１５から脱落して落下したり、あるいは野縁１５が野縁受け１３から脱落して天井パネル２と共に脱落したりするのを、一層有効に防止することができる。
【００３７】
なお、第三の実施の形態は、緩衝体３２，４２が受け材２０１，２０２の側面２０１ａ，２０２ａに当接しているが、受け材２０１，２０２を設けずに躯体壁２００のＹＺ方向壁面２００ａ及びＸＺ方向壁面２００ｂに当接させた構成とすることもできる。
【００３８】
次に図４は、耐震天井の第四の実施の形態を示すものであって、図中（Ａ）は野縁の端部付近、（Ｂ）は野縁受けの端部付近の構成を示すものである。
【００３９】
この第四の実施の形態は、先に説明した図１に示す第一の実施の形態の構成において、図４（Ａ）に示すように、天井下地材１に、互いに隣接する野縁１５，１５の端部間に位置して配置されたＸ方向に延びる第二の押し当て材５が不図示のビスによって野縁受け１３に結合されると共に、図４（Ｂ）に示すように、互いに隣接する野縁受け１３，１３の端部間に位置して配置されたＹ方向に延びる第二の押し当て材６が不図示のビス及びクリップ等によって複数の野縁１５に跨って結合され、Ｘ方向の第二の押し当て材５の端部が躯体壁２００のＹＺ方向壁面２００ａに当接し、Ｙ方向の第二の押し当て材６の端部が躯体壁２００のＸＺ方向壁面２００ｂに当接してなるものである。
【００４０】
上記構成によれば、地震発生時に天井に生じるＸ方向の水平力に対しては、野縁１５の端部に取り付けられた押し当て材３と、野縁１５，１５の端部間に位置して配置された第二の押し当て材５の双方を介して躯体壁２００に伝達され、Ｙ方向の水平力に対しては、野縁受け１３の端部に取り付けられた押し当て材４と、野縁受け１３，１３の端部間に位置して配置された第二の押し当て材６の双方を介して躯体壁２００に伝達されるので、水平力が分散され、このため天井と躯体壁２００の衝突が一層確実に規制される。
【００４１】
なお、図示の例では、Ｘ方向の第二の押し当て材５は野縁１５とＹ方向へ交互に配置され、Ｙ方向の第二の押し当て材６は野縁受け１３，１３の端部間に複数本ずつ配置されているが、第二の押し当て材５，６の設置数は、想定される水平力の最大値などを勘案して任意に決められるものである。
【００４２】
また、図示の例では、押し当て材３，４及び第二の押し当て材５，６が躯体壁２００のＹＺ方向壁面２００ａ及びＸＺ方向壁面２００ｂに当接しているが、図２に示す第二の実施の形態のように、躯体壁２００に受け材２０１，２０２を取り付けて、押し当て材３，４及び第二の押し当て材５，６を受け材２０１，２０２に当接させることによって、押し当て材３，４からの水平力による応力を分散させる構成とすることもできる。
【００４３】
また、押し当て材３，４及び第二の押し当て材５，６には、図３に示す第三の実施の形態のような緩衝体３２，４２を取り付けた構成とすることもできる。
【００４４】
次に図５は、耐震天井の第五の実施の形態を示すものであって、図中（Ａ）は野縁の端部付近、（Ｂ）は野縁受けの端部付近の構成を示すものである。
【００４５】
この第五の実施の形態は、図５（Ａ）に示すように、Ｘ方向の押し当て材３に、野縁として用いる材料を適当な長さに切断して製作したものを用い、その端部３ａを躯体壁２００のＹＺ方向壁面２００ａに突き当てた状態で、断面コ字形の入れ子式の継ぎ手部材３３及び複数のビス３１を介して野縁１５に結合固定すると共に、図５（Ｂ）に示すように、Ｙ方向の押し当て材４に、野縁受けとして用いる材料を適当な長さに切断して製作したものを用い、その端部４ａを躯体壁２００のＸＺ方向壁面２００ｂに突き当てた状態で、断面コ字形の入れ子式の継ぎ手部材４３及び複数のビス４１を介して野縁受け１３に結合固定したものである。
【００４６】
そしてこの場合も、図６に耐震天井の第六の実施の形態を示すように、Ｘ方向の押し当て材３を、躯体壁２００のＹＺ方向壁面２００ａに取り付けた軽量鉄骨等からなる受け材２０１の側面２０１ａと当接させた構成とし、Ｙ方向の押し当て材４を、躯体壁２００のＸＺ方向壁面２００ｂに取り付けた軽量鉄骨等からなる受け材２０２の側面２０２ａと当接させた構成とすることによって、押し当て材３，４からの水平力による応力を分散するようにすることも好ましく、また、押し当て材３，４には、図３に示す第三の実施の形態のような緩衝体３２，４２を取り付けた構成とすることもできる。
【符号の説明】
【００４７】
１  天井下地材
１１  吊りボルト
１２  ハンガー
１３  野縁受け
１４  クリップ
１５  野縁
２  天井パネル
３，４  押し当て材
３２，４２  緩衝体
５，６  第二の押し当て材
２００  躯体壁
２００ａ  ＹＺ方向壁面（天井周囲の壁側受け面）
２００ｂ  ＸＺ方向壁面（天井周囲の壁側受け面）
２０１，２０２  受け材
２０１ａ，２０２ａ  側面（天井周囲の壁側受け面）
【図１】
0006470514.tif 000002
【図２】
0006470514.tif 000003
【図３】
0006470514.tif 000004
【図４】
0006470514.tif 000005
【図５】
0006470514.tif 000006
【図６】
0006470514.tif 000007
【図７】
0006470514.tif 000008